(57)【要約】      （修正有）【課題】撮影用途によって求められる最適な操作回転角が多様化している撮影レンズのフォーカス／ズーム／アイリス等の光学要素調整用操作リングの回転角の拡大を、レンズ構造体の強度低下を招かずに実現すること。【解決手段】光学要素の機能調整が光軸を中心とした回転運動する回転部材により行われる撮影レンズにおいて、手動操作部材８の内周に施した第１のカム溝に係合する第１のカムフォロワを植設した直動カム環６に設けた第２のカム溝に係合する第２のカムフォロワを前記回転部材の外周に突設したことを特徴とする。【選択図】図１
2017215395.tif 000002
【特許請求の範囲】
【請求項１】
光軸方向に直動する移動鏡筒の位置調整が光軸を中心とした手動操作部材の回転により行われる撮影レンズにおいて、該レンズの外側から手動操作部材、直動カム環、固定筒、円筒カム部材、前記移動鏡筒の順に配されており、該固定筒の内周には該円筒カム環が嵌合し、該固定筒の外周には該直動カム環及び該手動操作環が嵌合する構造であり、前記手動操作部材の内周には第１のカム溝が設けられ光軸方向にのみ移動可能な前記直動カム環に植設された第１のカムフォロワと係合し、さらに該直動カム環に設けられた第２のカム溝には前記円筒カム部材の外周に突設した第２のカムフォロワが前記固定筒に光軸周りの円弧状に設けられた逃げ溝を挿通して係合しており、前記移動鏡筒の外周には複数の第３のカムフォロワが突設され前記円筒カム部材に設けられた複数の貫通する第３のカムに係合しつつ前記固定筒に設けられた光軸に平行な複数の直溝に係合していることを特徴とする撮影レンズ。
【請求項２】
絞り機構の開閉調整が光軸を中心とした手動操作部材の回転により行われる撮影レンズにおいて、該レンズの外側から手動操作部材、直動カム環、固定筒、円筒カム部材、前記絞り機構の順に配されており、該固定筒の内周には該絞り機構の固定部材が嵌合し、該固定筒の外周には該直動カム環及び該手動操作環が嵌合する構造であり、前記手動操作部材の内周には第１のカム溝が設けられ光軸方向にのみ移動可能な前記直動カム環に植設された第１のカムフォロワと係合し、さらに該直動カム環に設けられた第２のカム溝には前記絞り機構のカム部材の外周に突設した第２のカムフォロワが前記固定筒に光軸周りの円弧状に設けられた逃げ溝を挿通して係合しており、前記絞り機構のカム部材には該カム部材の光軸周りの回転に伴って複数の絞り羽根を所定の開閉状態に案内する複数のカムが設けられていることを特徴とする撮影レンズ。
【発明の詳細な説明】
【技術分野】
【０００１】
本発明は、撮影レンズに関し、特にフォーカス／ズーム／アイリス等の光学調整要素の調整操作を光軸周りに回転する操作環の回転角より行う手段を有するレンズ操作機構に関する。
【背景技術】
【０００２】
従来、光学調整要素の駆動入力がカムフォロワで行われる場合、該カムフォロワの回転軌道が光軸に直交しない場合に前記カムフォロワに係合するカムを設けた操作環の該カムのリードを変更することにより操作環の回転角を変更する手段があった。
【０００３】
特許文献１には、内周にヘリコイド雌ねじを設けた固定筒に螺合する雄ねじを有する移動筒外周に植設されたピンを該固定筒に設けた逃げ溝を挿通し、内周に一定のリードを有する案内溝を設けた操作環に係合する構造が開示されている。
【先行技術文献】
【特許文献】
【０００４】
【特許文献１】特開平０６−３０８３６２号公報
【発明の概要】
【発明が解決しようとする課題】
【０００５】
しかしながら、上述の特許文献１に開示された従来技術では、ピンの軌道が所定のリードを有する場合にのみ操作環の操作回転角設定が可能であり、ピンの軌道が光軸周りの単純な円弧を描く場合には適用できない。
【０００６】
そこで、本発明の目的は、駆動入力が光軸を中心とする円弧軌道を描くカムフォロワにより為される光学調整要素における操作環の回転角の拡大を達成し、各要素の微調整を可能とした頑強なレンズを提供することにある。
【課題を解決するための手段】
【０００７】
上記の目的を達成するために、本発明に係る撮影レンズは、
光学要素の機能調整が光軸を中心とした回転運動する回転部材により行われる撮影レンズにおいて、手動操作部材の内周に施した第１のカム溝に係合する第１のカムフォロワを植設した直動カム環に設けた第２のカム溝に係合する第２のカムフォロワを前記回転部材の外周に突設したことを特徴とする。
【発明の効果】
【０００８】
本発明によれば、光学要素の機能調整が光軸を中心とした回転運動する回転部材により行われる撮影レンズにおいて、レンズ外装構造の簡単な変更のみで操作環回転角の拡大が達成され、光学微調整を可能とした頑強なレンズを提供することができる。
【図面の簡単な説明】
【０００９】
【図１】本発明の第１の実施例におけるレンズ筺体の断面図及び展開図
【図２】図１における手動操作部材の回転領域の半分だけ回転させた場合のレンズ筺体の断面図及び展開図
【図３】図１における手動操作部材の回転領域の全域を回転させた場合のレンズ筺体の断面図及び展開図
【図４】本発明の第２の実施例におけるレンズ筺体の断面図及び展開図
【図５】図４における手動操作部材の回転領域の半分だけ回転させた場合のレンズ筺体の断面図及び展開図
【図６】図４における操作環回転領域の全域を回転させた場合のレンズ筺体の断面図及び展開図
【発明を実施するための形態】
【００１０】
以下に、本発明の好ましい実施の形態を、添付の図面に基づいて詳細に説明する。
【００１１】
図１は本発明の第１の実施形態にかかわるレンズ筺体の断面図及び展開図である。また図２及び図３はそれぞれ図１における手動操作部材の回転領域の半分或いは全域回転させた場合のレンズ筺体の断面図及び展開図を表している。図４は本発明の第２の実施形態にかかわるレンズ筺体の断面図及び展開図である。さらに図５及び図６はそれぞれ図４における手動操作部材の回転領域の半分或いは全域回転させた場合のレンズ筺体の断面図及び展開図を表している。
【実施例１】
【００１２】
以下、図１から図３を参照して、本発明の第１の実施例によるレンズ操作機構について説明する。
【００１３】
図１において、移動鏡筒１には固定筒２に設けられた光軸方向に平行な複数の直溝２ａに係合し、かつ該固定筒２の内周に嵌合した円筒カム部材３に設けられた複数の案内溝３ａに係合する複数のカムフォロワ４が光軸と直交する方向に突設されている。前記円筒カム部材３は光軸周りの回転のみが許容されており、該複数のカムフォロワ４に保持された前記移動鏡筒１は、該円筒カム部材３の回転に伴い前記複数の直溝２ａ及び前記複数の案内溝３ａに案内される。これにより前記移動鏡筒１は該円筒カム部材３の回転角に応じた距離だけ光軸方向へ移動する。
【００１４】
また前記円筒カム部材３には、前記固定筒２の外部から該円筒カム部材３を回転操作できるようにカムフォロワ５が突設されており、該カムフォロワ５の回転全域において干渉しないよう、該固定筒２には逃げ溝２ｂが設けられている。前記固定筒２の外周には直動カム環６が光軸方向に摺動可能に嵌合しており、該直動カム環６にはカムフォロワ７が植設されている。前記カムフォロワ５は前記逃げ溝２ｂを挿通して該直動カム環６に設けた案内溝６ａに係合している。次に前記カムフォロワ７は該直動カム環６より光軸向心方向において前記固定筒２に設けた光軸に平行な直溝２ｃと係合しており、光軸遠心方向において手動操作部材８の内周に設けた案内溝８ａに係合している。前記直動カム環６は該直溝２ｃに係合した該カムフォロワ７により光軸周りの回転が規制され、光軸方向のみの移動が許容されている。
【００１５】
以上のような構成で前記手動操作部材８を光軸周りに回転すると前記案内溝８ａと前記直溝２ｃの交点軌道を前記カムフォロワ７が移動するに伴い、前記直動カム環６が光軸方向に直進移動する。さらに該直動カム環６に設けた前記案内溝６ａが光軸方向に直進運動するため、該案内溝６ａに係合した前記カムフォロワ５が突設された前記円筒カム部材３を光軸周りに回転させる。
【００１６】
図２において、前記手動操作部材８を全回転角βの半分のβ／２だけ回転させた場合には前記直動カム環６及び案内溝６ａが全変位量ｘの半分のｘ／２だけ光軸方向に変位する。該案内溝６ａに係合した前記カムフォロワ５は光軸周りの回転のみを許容された前記円筒カム部材３に突設されているため該案内溝６ａにより全回転角αの半分のα／２だけ該円筒カム部材３を回転させる。この回転により前記直溝２ａ及び前記複数の案内溝３ａに案内されて、前記移動鏡筒１が光軸方向へ所定量移動する。
【００１７】
また、図３において、前記手動操作部材８を全回転角βだけ回転させた場合には前記直動カム環６及び案内溝６ａが全変位量ｘだけ光軸方向に変位する。さらに該案内溝６ａ及びこれに係合した該カムフォロワ５により該円筒カム部材３を終端まで回転させる。この回転により前記直溝２ａ及び前記複数の案内溝３ａに案内されて、前記移動鏡筒１が光軸方向へ全移動量の移動を完了する。
【００１８】
以上のように、前記案内溝８ａと前記案内溝６ａの傾きの比率によって前記手動操作部材８の回転角と前記円筒カム部材３の回転角の比率β／αが決定されるため、該手動操作部材８の回転量と前記移動鏡筒１の移動量の設定が自由に変更可能となる。
【００１９】
ここで、前記逃げ溝２ｂは前記円筒カム部材３の全回転角α以上の角度をもって前記固定筒２に施されているため、該逃げ溝２ｂの角度が大きいほど撮影レンズ本体の強度の低下を招いてしまう。本実施例においては前記回転角の比率β／αの値を自由に設定できるため、該逃げ溝２ｂの角度を極力小さくした頑強なレンズを提供できる。
【実施例２】
【００２０】
以下、図４から図６を参照して、本発明の第２の実施例によるレンズ操作機構について説明する。ここで、実施例１にて説明した構成と同様の部材は同番号にて説明する。
【００２１】
図４において、複数の絞り羽根９を収容した固定部材１０は前記固定筒２の内周に固定されている。また、該複数の絞り羽根９は該固定部材１０の内側で光軸周りに回転するカム部材１１に設けられた図示しない複数のカム１１ａの軌道に沿って光軸と直交する面内の運動を行い、該カム部材１１の回転角に応じて絞りの開閉状態を調整する。ここで、前記カム部材１１にはカムフォロワ５が突設されており、実施例１における前記円筒カム部材３と同様に、前記固定筒２には外部から該カム部材１１を回転操作できるように該カム
フォロワ５の回転全域において干渉しないよう、逃げ溝２ｂが設けられている。
【００２２】
以下の構成は実施例１と同様であり、前記手動操作部材８を光軸周りに回転すると前記案内溝８ａと前記直溝２ｃの交点軌道を前記カムフォロワ７が移動するに伴い、前記直動カム環６が光軸方向に直進移動する。さらに該直動カム環６に設けた前記案内溝６ａが光軸方向に直進運動するため、該案内溝６ａに係合した前記カムフォロワ５が突設された前記カム部材１１を光軸周りに回転させる。
【００２３】
図５において、前記手動操作部材８を全回転角βの半分のβ／２だけ回転させた場合には前記直動カム環６及び案内溝６ａが全変位量ｘの半分のｘ／２だけ光軸方向に変位する。該案内溝６ａに係合した前記カムフォロワ５は光軸周りの回転のみを許容された前記カム部材１１に突設されているため該案内溝６ａにより全回転角αの半分のα／２だけ該カム部材１１を回転させる。この回転により前記複数のカム１１ａの軌道に沿って前記複数の絞り羽根９が半開する。
【００２４】
また、図６において、前記手動操作部材８を全回転角βだけ回転させた場合には前記直動カム環６及び案内溝６ａが全変位量ｘだけ光軸方向に変位する。さらに該案内溝６ａ及びこれに係合した該カムフォロワ５により該カム部材１１を終端まで回転させる。この回転により前記複数のカム１１ａの軌道に沿って前記複数の絞り羽根９が全開状態となる。
【００２５】
従って、前記案内溝８ａと前記案内溝６ａの傾きの比率によって前記手動操作部材８の回転角と前記カム部材１１の回転角の比率β／αが決定されるため、該手動操作部材８の回転量と絞りの開閉状態の設定が自由に変更可能となる。
【００２６】
本実施例においても、実施例１と同様に前記回転角の比率β／αの値を自由に設定できるため、該逃げ溝２ｂの角度を極力小さくすることにより頑強なレンズを提供できる。
【００２７】
以上、本発明の好ましい実施形態について説明したが、本発明は本実施形態に限定されず、その要旨の範囲内で種々の変形及び変更が可能である。
【００２８】
光軸周りに手動操作環を回転操作することによって内蔵された光学要素を調整操作するレンズの操作回転角変更手段として利用される。
【符号の説明】
【００２９】
１  移動鏡筒、２  固定筒、２ａ  複数の直溝、２ｂ  逃げ溝、２ｃ  直溝、
３  円筒カム部材、３ａ  複数の案内溝、４  複数のカムフォロワ、５  カムフォロワ、
６  直動カム環、６ａ  案内溝、７  カムフォロワ、８  手動操作部材、８ａ  案内溝、
９  複数の絞り羽根、１０  固定部材、１１  複数のカム、１１ａ  複数のカムフォロワ
【図１】
2017215395.tif 000003
【図２】
2017215395.tif 000004
【図３】
2017215395.tif 000005
【図４】
2017215395.tif 000006
【図５】
2017215395.tif 000007
【図６】
2017215395.tif 000008